(57)【特許請求の範囲】
【請求項１】
表示装置と、
テレビ用の映像データを生成する映像データ生成処理を実行する映像データ生成部と、
コンピュータ用の表示データを生成する表示データ生成処理を実行する表示データ生成部と、
前記表示データの背景領域として前記映像データを用いる合成映像表示データを生成する映像合成処理を実行する映像合成部と、
前記合成映像表示データを前記表示装置に表示する表示制御処理を実行する表示制御部と、
前記映像合成処理において、ユーザの操作により、前記背景領域のうちの、一部の領域を表すユーザ指定領域を指定するユーザ指定領域指示を出力するユーザ指定領域操作部と
を具備し、
前記映像合成部は、
前記映像合成処理において、前記ユーザ指定領域指示が出力されたとき、前記ユーザ指定領域指示に応じて、前記ユーザ指定領域として前記映像データを用いる前記合成映像表示データを生成するユーザ指定合成制御処理を実行し、
前記映像合成処理において、前記ユーザ指定領域指示が出力されないとき、自動指定領域指示に応じて、前記背景領域の中から、前記表示データを表す画面のサイズに比例する複数の候補背景領域を決定し、前記複数の候補背景領域の中から、そのサイズの面積が最大である候補背景領域を自動指定領域として決定し、前記自動指定領域として前記映像データを用いる前記合成映像表示データを生成する自動指定合成制御処理を実行する
コンピュータ。
【請求項２】
請求項１に記載のコンピュータにおいて、
前記背景領域に用いられる色は単色であり、
前記映像合成部は、前記映像合成処理において、前記ユーザ指定合成制御処理、前記自動指定合成制御処理を実行する前に、
前記表示データに用いられる色と、単色を表す設定色とを比較し、前記表示データの前記設定色に一致する領域を前記背景領域として認識する背景領域認識処理を実行する
コンピュータ。
【請求項３】
請求項２に記載のコンピュータにおいて、
前記映像データ生成部は、
映像要求に応じて、前記映像データ生成処理を実行し、
前記表示データ生成部は、前記表示データ生成処理の後に、前記映像要求に応じて、前記背景領域に用いられる色を単色に変更する背景色変更処理を実行する
コンピュータ。
【請求項４】
請求項１〜３のいずれかに記載のコンピュータにおいて、
前記映像合成処理において、ユーザの操作により、縮小映像指示又は部分映像指示を出力する映像形態指定操作部
を更に具備し、
前記映像合成部は、
前記ユーザ指定領域指示に応じて前記ユーザ指定合成制御処理を実行するとき、前記縮小映像指示に応じて、前記映像データを表す画面のサイズを、前記ユーザ指定領域を表す画面のサイズに変更して縮小映像データを生成し、前記ユーザ指定領域として前記縮小映像データを用いる前記合成映像表示データを生成する縮小映像合成制御処理を実行し、
前記ユーザ指定領域指示に応じて前記ユーザ指定合成制御処理を実行するとき、前記部分映像指示に応じて、前記映像データのうちの、前記ユーザ指定領域に対応する映像データを表す部分映像データを決定し、前記ユーザ指定領域として前記部分映像データを用いる前記合成映像表示データを生成する部分映像合成制御処理を実行する
コンピュータ。
【請求項５】
請求項１〜３のいずれかに記載のコンピュータにおいて、
前記映像合成処理において、ユーザの操作により、縮小映像指示又は部分映像指示を出力する映像形態指定操作部
を更に具備し、
前記映像合成部は、
前記自動指定領域指示に応じて前記自動指定合成制御処理を実行するとき、前記縮小映像指示に応じて、前記映像データを表す画面のサイズを、前記自動指定領域を表すサイズに変更して縮小映像データを生成し、前記自動指定領域として前記縮小映像データを用いる前記合成映像表示データを生成する縮小映像合成制御処理を実行し、
前記自動指定領域指示に応じて前記自動指定合成制御処理を実行するとき、前記部分映像指示に応じて、前記映像データのうちの、前記自動指定領域に対応する映像データを表す部分映像データを決定し、前記自動指定領域として前記部分映像データを用いる前記合成映像表示データを生成する部分映像合成制御処理を実行する
コンピュータ。
【請求項６】
請求項１〜５のいずれかに記載のコンピュータにおいて、
前記映像合成部は、
前記映像合成処理において、前記映像データを示す画面に用いられる解像度を、前記表示データを示す画面に用いられる解像度に変更する解像度変更処理を実行する
コンピュータ。
【請求項７】
請求項１〜６のいずれかに記載のコンピュータにおいて、
前記映像合成部は、
前記映像合成処理において、前記表示装置に使用する垂直同期周波数を、前記映像データを示す画面に用いられる垂直同期周波数と、前記表示データを示す画面に用いられる垂直同期周波数との一方の垂直同期周波数に設定する垂直同期周波数設定処理を実行する
コンピュータ。
【請求項８】
請求項７に記載のコンピュータにおいて、
前記垂直同期周波数設定処理において、ユーザの操作により、前記一方の垂直同期周波数を指定する垂直同期周波数指定指示を出力する垂直同期周波数指定操作部
を更に具備し、
前記映像合成部は、前記垂直同期周波数設定処理において、前記垂直同期周波数指定指示に応じて、前記表示装置に使用する垂直同期周波数を前記一方の垂直同期周波数に設定する
コンピュータ。
【請求項９】
テレビ用の映像データを生成する映像データ生成処理を実行するステップと、
コンピュータ用の表示データを生成する表示データ生成処理を実行するステップと、
前記表示データの背景領域として前記映像データを用いる合成映像表示データを生成する映像合成処理を実行するステップと、
前記合成映像表示データを前記表示装置に表示する表示制御処理を実行するステップと
を具備し、
前記映像合成処理において、ユーザの操作により、前記背景領域のうちの、一部の領域を表すユーザ指定領域を指定するユーザ指定領域指示が出力されたとき、前記ユーザ指定領域指示に応じて、前記ユーザ指定領域として前記映像データを用いる前記合成映像表示データを生成するユーザ指定合成制御処理を実行するステップと、
前記映像合成処理において、前記ユーザ指定領域指示が出力されないとき、自動指定領域指示に応じて、前記背景領域の中から、前記表示データを表す画面のサイズに比例する複数の候補背景領域を決定し、前記複数の候補背景領域の中から、そのサイズの面積が最大である候補背景領域を自動指定領域として決定し、前記自動指定領域として前記映像データを用いる前記合成映像表示データを生成する自動指定合成制御処理を実行するステップと
を更に具備する映像表示方法。
【請求項１０】
請求項９に記載の映像表示方法において、
前記背景領域に用いられる色は単色であり、
前記映像合成処理において、前記ユーザ指定合成制御処理、前記自動指定合成制御処理を実行する前に、
前記表示データに用いられる色と、単色を表す設定色とを比較し、前記表示データの前記設定色に一致する領域を前記背景領域として認識する背景領域認識処理を実行する
映像表示方法。
【請求項１１】
請求項１０に記載の映像表示方法において、
映像要求に応じて、前記映像データ生成処理を実行するステップと、
前記表示データ生成処理の後に、前記映像要求に応じて、前記背景領域に用いられる色を単色に変更する背景色変更処理を実行するステップと
を更に具備する映像表示方法。
【請求項１２】
請求項９〜１１のいずれかに記載の映像表示方法において、
前記映像合成処理に応じて前記ユーザ指定合成制御処理を実行するとき、ユーザの操作により、縮小映像指示又は部分映像指示が出力された場合、
前記縮小映像指示に応じて、前記映像データを表す画面のサイズを、前記ユーザ指定領域を表す画面のサイズに変更して縮小映像データを生成し、前記ユーザ指定領域として前記縮小映像データを用いる前記合成映像表示データを生成する縮小映像合成制御処理を実行するステップと、
前記部分映像指示に応じて、前記映像データのうちの、前記ユーザ指定領域に対応する映像データを表す部分映像データを決定し、前記ユーザ指定領域として前記部分映像データを用いる前記合成映像表示データを生成する部分映像合成制御処理を実行するステップと
を更に具備する映像表示方法。
【請求項１３】
請求項９〜１１のいずれかに記載の映像表示方法において、
前記映像合成処理に応じて前記自動指定合成制御処理を実行するとき、ユーザの操作により、縮小映像指示又は部分映像指示が出力された場合、
前記縮小映像指示に応じて、前記映像データを表す画面のサイズを、前記自動指定領域を表すサイズに変更して縮小映像データを生成し、前記自動指定領域として前記縮小映像データを用いる前記合成映像表示データを生成する縮小映像合成制御処理を実行するステップと、
前記部分映像指示に応じて、前記映像データのうちの、前記自動指定領域に対応する映像データを表す部分映像データを決定し、前記自動指定領域として前記部分映像データを用いる前記合成映像表示データを生成する部分映像合成制御処理を実行するステップと
を更に具備する映像表示方法。
【請求項１４】
請求項１２〜１３のいずれかに記載の映像表示方法において、
前記映像合成処理において、前記映像データを示す画面に用いられる解像度を、前記表示データを示す画面に用いられる解像度に変更する解像度変更処理を実行するステップ
を更に具備する映像表示方法。
【請求項１５】
請求項１２〜１４のいずれかに記載の映像表示方法において、
前記映像合成処理において、前記表示装置に使用する垂直同期周波数を、前記映像データを示す画面に用いられる垂直同期周波数と、前記表示データを示す画面に用いられる垂直同期周波数との一方の垂直同期周波数に設定する垂直同期周波数設定処理を実行するステップ
を更に具備する映像表示方法。
【請求項１６】
請求項１５に記載の映像表示方法において、
前記垂直同期周波数設定処理において、ユーザの操作により、前記一方の垂直同期周波数を指定する垂直同期周波数指定指示が出力されたとき、前記垂直同期周波数指定指示に応じて、前記表示装置に使用する垂直同期周波数を前記一方の垂直同期周波数に設定するステップ
を更に具備する映像表示方法。
【請求項１７】
請求項９〜１６のいずれかに記載の映像表示方法の各ステップをコンピュータに実行させるコンピュータプログラム。
【発明の詳細な説明】
【技術分野】
【０００１】
本発明は、コンピュータ用の表示データとテレビ用の映像データとを表示するコンピュータに関する。
【背景技術】
【０００２】
コンピュータ用の表示データとテレビ用の映像データとを表示する表示方式が採用されたコンピュータが使用されている。このような表示方式として、表示データと映像データとの一方をメイン画面とし、他方をサブ画面として、表示装置に表示するＰｉｎＰ（Ｐｉｃｔｕｒｅ  ｉｎ  Ｐｉｃｔｕｒｅ）表示方式やＰｏｕｔＰ（Ｐｉｃｔｕｒｅ  ｏｕｔ  Ｐｉｃｔｕｒｅ）表示方式が知られている。
【０００３】
ＰｉｎＰ表示方式では、表示装置にＰｉｎＰ表示画面が表示される。ＰｉｎＰ表示画面は、メイン画面が表示されるメイン画面領域と、サブ画面が表示されるサブ画面領域とを含んでいる。サブ画面は、メイン画面の一部に重ねられて表示される。図１に示されるように、例えば、表示データ６０を示す表示画面をメイン画面とし、映像データ７０を示す映像画面をサブ画面とした場合、ユーザは、映像画面を見ながら、表示画面により文書作成や表計算などの作業を行なうことができる。
ＰｏｕｔＰ表示方式では、表示装置にＰｏｕｔＰ表示画面が表示される。ＰｏｕｔＰ表示画面は、メイン画面が表示されるメイン画面領域と、サブ画面が表示されるサブ画面領域とを含んでいる。メイン画面とサブ画面は並べられて表示される。図２に示されるように、例えば、表示データ６０を示す表示画面をメイン画面とし、映像データ７０を示す映像画面をサブ画面とし、複数のチューナにより複数の映像データを受信した場合、ユーザは、複数の映像画面を見ながら、表示画面により上記作業を行なうことができる。
【０００４】
しかしながら、そのような表示方式では、ユーザが作業を行なうときに、映像画面により作業の妨げになってしまうことになる。
表示画面をメイン画面とし、映像画面をサブ画面とした場合を考えてみる。表示画面は、ユーザが作業を行なうための作業領域である。ところが、ＰｉｎＰ表示方式では、表示画面の一部に映像画面が重ねられて表示されるため、作業領域の一部分は映像画面により隠れてしまう。このような場合、作業領域の一部分でユーザが作業を行なう必要があるときに、映像画面を表示画面の他の一部に移動させるか、映像画面の表示を終了させなければならず、作業の妨げになってしまう。また、ＰｏｕｔＰ表示方式では、表示画面と映像画面は並べられて表示されるため、作業領域が小さくなってしまい、作業の妨げになってしまう。このように、ユーザが表示画面により作業を行なうとき、映像画面を補助的に利用する場合、作業の妨げになってしまう。
【０００５】
上記の表示方式に関連する技術として、特開２００４−２２０２３５号公報にＴＶ放送受信機能を具えた情報処理装置が開示されている（特許文献１参照）。情報処理装置では、メイン画面を表示装置に表示し、そのメイン画面上に小画面であるサブ画面を表示し、サブ画面のエリア外からエリア内にカーソルを移動させる操作が行なわれたときに、メイン画面上からサブ画面を消去する。また、サブ画面を消去してから所定時間が経過したときに、サブ画面を再表示している。
【０００６】
【特許文献１】特開２００４−２２０２３５号公報
【発明の開示】
【発明が解決しようとする課題】
【０００７】
本発明の課題は、ユーザの作業を妨げることなく、コンピュータ用の表示データとテレビ用の映像データとを表示することができるコンピュータを提供することにある。
【課題を解決するための手段】
【０００８】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明の第１の観点によるコンピュータは、表示装置（２）と、映像データ生成部（２４）と、表示データ生成部（１４）と、映像合成部（６）と、表示制御部（７）とを具備している。前記映像データ生成部（２４）、前記表示データ生成部（１４）、前記映像合成部（６）、前記表示制御部（７）は、ハードウェア（装置、回路）又はソフトウェアにより構成されている。ソフトウェアの場合、上記の構成はコンピュータプログラム（１３、２３）である。
前記映像データ生成部（２４）は、テレビ用の映像データ（７０）を生成する。
前記表示データ生成部（１４）は、コンピュータ用の表示データ（６０）を生成する。
前記映像合成部（６）は、前記表示データ（６０）の背景領域（６１）として前記映像データ（７０）を用いる合成映像表示データ（８０）を生成する。前記合成映像表示データ（８０）は、前記背景領域（６１）に前記映像データ（７０）を重ね合わせたときの表示データである。
前記表示制御部（７）は、前記合成映像表示データ（８０）を前記表示装置（２）に表示する。
表示データ（６０）の背景領域（６１）以外の領域は、ユーザが作業を行なうための作業領域である。即ち、ユーザは、背景領域（６１）では作業しない。上述のように、本発明の第１の観点によるコンピュータでは、この背景領域（６１）に映像データ（７０）を重ね合わせて表示する。このように、ユーザの作業を妨げることなく、コンピュータ用の表示データ（６０）とテレビ用の映像データ（７０）とを表示することができる。これにより、ユーザは、背景領域（６１）で映像データ（７０）を楽しみながら、作業領域で作業を行なうことができる。
【００１０】
本発明の第１の観点のコンピュータにおいて、前記背景領域（６１）に用いられる色は単色である。
前記映像合成部（６）は、前記表示データ（６０）に用いられる色と、単色を表す設定色とを比較し、前記表示データ（６０）の前記設定色に一致する領域を前記背景領域（６１）として認識する。そして、前記背景領域（６１）として前記映像データ（７０）を用いる前記合成映像表示データ（８０）を生成する。前記合成映像表示データ（８０）は、前記背景領域（６１）に前記映像データ（７０）を重ね合わせたときの表示データである。
本発明の第１の観点によるコンピュータでは、表示データ（６０）の背景領域（６１）に用いられる色を単色にしているので、映像データ（７０）を重ね合わせるときに、単色を表す設定色と一致する領域を背景領域（６１）として認識することができる。
【００１１】
本発明の第２の観点のコンピュータについて説明する。
前記映像データ生成部（２４）は、映像要求に応じて、前記映像データ（７０）を生成する。
前記表示データ生成部（１４）は、前記映像要求に応じて、前記背景領域（６１）に用いられる色を単色に変更する。
表示データ（６０）の背景領域（６１）に単色背景表示データが常に表示されている場合、デスクトップの壁紙として用いるには殺風景である。上述のように、本発明の第２の観点によるコンピュータでは、ユーザが番組要求を行なったときに、表示データ（６０）の背景領域（６１）に表示されるデータを背景表示データから単色背景表示データに変更する。これにより、ユーザにより番組要求が行なわれるまで、ユーザの好みの背景表示データを背景領域（６１）に表示することができる。
【００１２】
本発明の第３の観点のコンピュータについて説明する。
本発明のコンピュータは、ユーザの操作により、前記背景領域（６１）のうちの、一部の領域を表すユーザ指定領域（６６）を指定するユーザ指定領域指示を出力するユーザ指定領域操作部（３）を更に具備している。
前記映像合成部（６）は、前記ユーザ指定領域指示に応じて、前記ユーザ指定領域（６６）として前記映像データ（７０）を用いる前記合成映像表示データ（８０）を生成する。前記合成映像表示データ（８０）は、前記ユーザ指定領域（６６）に前記映像データ（７０）を重ね合わせたときの表示データである。
背景領域（６１）に映像データ（７０）を重ね合わせて表示する場合、映像データ（７０）の一部が作業領域（背景領域（６１）以外の領域）に隠れて見えない部分がある。上述のように、本発明の第３の観点によるコンピュータでは、表示データ（６０）の背景領域（６１）の一部の領域であるユーザ指定領域（６６）をユーザが指定することにより、ユーザ指定領域（６６）に映像データ（７０）を重ね合わせて表示することができる。
【００１３】
本発明の第４の観点のコンピュータについて説明する。
前記映像合成部（６）は、自動指定領域指示に応じて、前記背景領域（６１）の中から、前記表示データ（６０）を表す画面のサイズ（Ｘ×Ｙ）に比例する複数の候補背景領域（６７）を決定する。次に、前記映像合成部（６）は、前記複数の候補背景領域（６７）の中から、そのサイズ（Ａ２×Ｂ２）の面積が最大である候補背景領域（６７）を自動指定領域（６８）として決定する。次に、前記映像合成部（６）は、前記自動指定領域（６８）として前記映像データ（７０）を用いる前記合成映像表示データ（８０）を生成する。前記合成映像表示データ（８０）は、前記自動指定領域（６８）に前記映像データ（７０）を重ね合わせたときの表示データである。
本発明の第４の観点によるコンピュータでは、表示データ（６０）の背景領域（６１）の一部の領域である自動指定領域（６８）を自動的に指定することにより、自動指定領域（６８）に映像データ（７０）を重ね合わせて表示することができる。自動指定領域（６８）を示す画面のサイズ（Ａ２×Ｂ２）は、表示データ（６０）を表す画面のサイズ（Ｘ×Ｙ）に比例しているので、自動指定領域（６８）を示す画面の見栄えがよい。
【００１４】
本発明の第５の観点のコンピュータについて説明する。
本発明のコンピュータは、ユーザの操作により、前記背景領域（６１）のうちの、一部の領域を表すユーザ指定領域（６６）を指定するユーザ指定領域指示を出力するユーザ指定領域操作部（３）を更に具備している。
前記ユーザ指定領域指示が出力されたとき、前記映像合成部（６）は、前記ユーザ指定領域指示に応じて、前記ユーザ指定領域（６６）として前記映像データ（７０）を用いる前記合成映像表示データ（８０）を生成する。前記合成映像表示データ（８０）は、前記ユーザ指定領域（６６）に前記映像データ（７０）を重ね合わせたときの表示データである。
前記ユーザ指定領域指示が出力されないとき、前記映像合成部（６）は、自動指定領域指示に応じて、前記背景領域（６１）の中から、前記表示データ（６０）を表す画面のサイズ（Ｘ×Ｙ）に比例する複数の候補背景領域（６７）を決定する。次に、前記映像合成部（６）は、前記複数の候補背景領域（６７）の中から、そのサイズ（Ａ２×Ｂ２）の面積が最大である候補背景領域（６７）を自動指定領域（６８）として決定する。次に、前記映像合成部（６）は、前記自動指定領域（６８）として前記映像データ（７０）を用いる前記合成映像表示データ（８０）を生成する。前記合成映像表示データ（８０）は、前記自動指定領域（６８）に前記映像データ（７０）を重ね合わせたときの表示データである。
本発明の第５の観点によるコンピュータでは、上記のユーザ指定領域（６６）と自動指定領域（６８）との一方の領域をユーザが選択することにより、その一方の領域に映像データ（７０）を重ね合わせて表示することができる。
【００１５】
本発明の第３、第５の観点のコンピュータについて説明する。
本発明のコンピュータは、ユーザの操作により、縮小映像指示又は部分映像指示を出力する映像形態指定操作部（３）を更に具備している。
前記映像合成部（６）は、前記ユーザ指定領域指示と前記縮小映像指示に応じて、前記映像データ（７０）を表す画面のサイズ（Ａ×Ｂ）を、前記ユーザ指定領域（６６）を表す画面のサイズ（Ａ１×Ｂ１）に変更して縮小映像データ（７１）を生成し、前記ユーザ指定領域（６６）として前記縮小映像データ（７１）を用いる前記合成映像表示データ（８０）を生成する。前記合成映像表示データ（８０）は、前記ユーザ指定領域（６６）に前記縮小映像データ（７１）を重ね合わせたときの表示データである。
前記映像合成部（６）は、前記ユーザ指定領域指示と前記部分映像指示に応じて、前記映像データ（７０）のうちの、前記ユーザ指定領域（６６）に対応する映像データ（７０）を表す部分映像データ（７２）を決定し、前記ユーザ指定領域（６６）として前記部分映像データ（７２）を用いる前記合成映像表示データ（８０）を生成する。前記合成映像表示データ（８０）は、前記ユーザ指定領域（６６）に前記部分映像データ（７２）を重ね合わせたときの表示データである。
例えば、ユーザが縮小映像指示を行なっている場合、ユーザ指定領域（６６）内で縮小映像データ（７１）｛縮小された映像データ（７０）｝を視聴することができる。これにより、ユーザは、背景領域（６１）で縮小映像データ（７１）を楽しみながら、作業領域で作業を行なうことができる。
また、映像データ（７０）がスポーツ中継を表していて、映像データ（７０）の一部がスコアを表している場合がある。この場合、ユーザが部分映像指示を行なうことにより、ユーザ指定領域（６６）内で部分映像データ（７２）｛スコアが表示された映像データ（７０）｝を視聴することができる。
【００１６】
本発明の第４、第５の観点のコンピュータについて説明する。
本発明のコンピュータは、ユーザの操作により、縮小映像指示又は部分映像指示を出力する映像形態指定操作部（３）を更に具備している。
前記映像合成部（６）は、前記自動指定領域指示と前記縮小映像指示に応じて、前記映像データ（７０）を表す画面のサイズ（Ａ×Ｂ）を、前記自動指定領域（６８）を表すサイズ（Ａ２×Ｂ２）に変更して縮小映像データ（７１）を生成し、前記自動指定領域（６８）として前記縮小映像データ（７１）を用いる前記合成映像表示データ（８０）を生成する。前記合成映像表示データ（８０）は、前記自動指定領域（６８）に前記縮小映像データ（７１）を重ね合わせたときの表示データである。
前記映像合成部（６）は、前記自動指定領域指示と前記部分映像指示に応じて、前記映像データ（７０）のうちの、前記自動指定領域（６８）に対応する映像データ（７０）を表す部分映像データ（７２）を決定し、前記自動指定領域（６８）として前記部分映像データ（７２）を用いる前記合成映像表示データ（８０）を生成する。前記合成映像表示データ（８０）は、前記自動指定領域（６８）に前記部分映像データ（７２）を重ね合わせたときの表示データである。
例えば、ユーザが縮小映像指示を行なっている場合、自動指定領域（６８）内で縮小映像データ（７１）｛縮小された映像データ（７０）｝を視聴することができる。これにより、ユーザは、背景領域（６１）で縮小映像データ（７１）を楽しみながら、作業領域で作業を行なうことができる。
【００１７】
本発明の第１の観点のコンピュータにおいて、前記映像合成部（６）は、前記映像データ（７０）を示す画面に用いられる解像度を、前記表示データ（６０）を示す画面に用いられる解像度に変更する。
また、本発明の第１の観点によるコンピュータでは、映像データ（７０）を示す画面に用いられる解像度を、表示データ（６０）を示す画面に用いられる解像度に合わせているので、違和感なくコンピュータ用の表示データ（６０）とテレビ用の映像データ（７０）とを表示することができる。
【００１８】
本発明の第１の観点のコンピュータにおいて、前記映像合成部（６）は、前記表示装置（２）に使用する垂直同期周波数を、前記映像データ（７０）を示す画面に用いられる垂直同期周波数と、前記表示データ（６０）を示す画面に用いられる垂直同期周波数との一方の垂直同期周波数に設定する。
また、本発明の第１の観点によるコンピュータでは、表示装置２に使用する垂直同期周波数を、映像データ（７０）を示す画面に用いられる垂直同期周波数と、表示データ（６０）を示す画面に用いられる垂直同期周波数との一方の垂直同期周波数に合わせているので、コンピュータ用の表示データ（６０）とテレビ用の映像データ（７０）とを同時に表示するときにズレが生じない。
【００１９】
本発明の第６の観点のコンピュータについて説明する。
本発明のコンピュータは、ユーザの操作により、前記一方の垂直同期周波数を指定する垂直同期周波数指定指示を出力する垂直同期周波数指定操作部（３）を更に具備している。
前記映像合成部（６）は、前記垂直同期周波数指定指示に応じて、前記表示装置（２）に使用する垂直同期周波数を前記一方の垂直同期周波数に設定する。
本発明の第６の観点によるコンピュータでは、表示装置２に使用する垂直同期周波数をユーザの好みの垂直同期周波数に設定することができる。
【発明の効果】
【００２０】
以上により、本発明のコンピュータは、ユーザの作業を妨げることなく、コンピュータ用の表示データ６０とテレビ用の映像データ７０とを表示することができる。
【発明を実施するための最良の形態】
【００２１】
以下に添付図面を参照して、本発明のコンピュータについて詳細に説明する。
【００２２】
（第１実施形態）
図３は、本発明の第１実施形態に係るコンピュータの構成を示すブロック図である。第１実施形態に係るコンピュータは、情報処理装置であり、パーソナルコンピュータ、携帯電話機、携帯情報端末を含んでいる。本実施形態では、第１実施形態に係るコンピュータは、パーソナルコンピュータとして使用されるものとする。第１実施形態に係るコンピュータは、本体部１と、表示装置２と、入力装置３とを具備している。表示装置２、入力装置３は、本体部１に接続されている。入力装置３は、キーボード、ポインティングデバイス（例示；マウス）を含んでいる。表示装置２としてはＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、プラズマディスプレイが例示される。
本体部１は、パーソナルコンピュータ（以下、ＰＣとも称する）の機能を有するＰＣ用制御装置１０と、テレビジョン（以下、ＴＶ又はテレビとも称する）の機能を有するＴＶ用制御装置２０と、制御部４とを具備している。
【００２３】
ＰＣ用制御装置１０は、ＣＰＵ（Ｃｅｎｔｒａｌ  Ｐｒｏｃｅｓｓｉｎｇ  Ｕｎｉｔ）１１と、メモリ１２とを具備している。メモリ１２には、ＣＰＵ１１が実行するためのコンピュータプログラムであるＰＣ用プログラム１３が格納されている。ＰＣ用プログラム１３は、表示データ生成部１４を含むＯＳ（Ｏｐｅｒａｔｉｎｇ  Ｓｙｓｔｅｍ）を有している。
メモリ１２には、更に、複数のソフトウェア１５が格納されている。複数のソフトウェア１５には、例えば、文書作成用ソフトウェア１５、表計算用ソフトウェア１５、メール用ソフトウェア１５、ブラウザ用ソフトウェア１５が含まれる。メモリ１２のメモリ領域には、壁紙格納部１６が含まれる。壁紙格納部１６には、単色を表す単色背景表示データが格納されている。単色背景表示データは、デスクトップの壁紙として用いられる。
表示データ生成部１４は、コンピュータ用の表示データ６０を生成し、制御部４に出力する。表示データ６０は、単色背景表示データを表す背景領域と、上記のソフトウェア１５の表示データを表す領域とを含んでいる。
【００２４】
ＴＶ用制御装置２０は、ＣＰＵ２１と、メモリ２２と、受信機２５とを具備している。メモリ２２には、ＣＰＵ２１が実行するためのコンピュータプログラムであるＴＶ用プログラム２３を含む。ＴＶ用プログラム２３は、映像データ生成部２４と、放送局を表す情報が格納された選局データベース（図示しない）とを有している。
受信機２５は、チューナ２６と、デコーダ２７とを具備する。ユーザが入力装置３を用いて、テレビ用の番組データを要求するための番組要求（映像要求）を行なう。番組要求は、該当する放送局を表す情報を含んでいる。このとき、映像データ生成部２４は、その番組要求に応じてＴＶ用プログラム２３の選局データベースに従い、該当する放送局から番組データを受信するようにチューナ２６を制御する。あるいは、その番組要求を放送局のサーバに送信し、そのサーバからの番組データを受信するようにチューナ２６を制御する。映像データ生成部２４は、チューナ２６により受信された番組データをデコーダ２７によりデコードし、テレビ用の映像データ７０として制御部４に出力する。
【００２５】
図４は、制御部４の機能ロジックを示している。制御部４は、ハードウェア（装置、回路）又はソフトウェアにより構成されている。ソフトウェアの場合、例えば制御部４の一部もしくは全部は、ＰＣ用プログラム１３あるいはＴＶ用プログラム２３に含まれる。制御部４は、サイズ認識部５、映像合成部６、表示制御部７を具備している。
サイズ認識部５、映像合成部６は、ＰＣ用制御装置１０から出力された表示データ６０と、ＴＶ用制御装置２０から出力された映像データ７０とを受け取る。サイズ認識部５は、表示データ６０、映像データ７０を示す画面のサイズを認識し、映像合成部６に通知する。映像合成部６は、映像データ７０を示す画面のサイズを、表示データ６０を示す画面のサイズに変更し、表示データ６０の背景領域として映像データ７０を用いる合成映像表示データ８０を生成する。表示制御部７は、その合成映像表示データ８０を表示装置２に表示する。
【００２６】
次に、図５〜図７を参照して、本発明の第１実施形態によるコンピュータの動作として映像表示方法について説明する。
表示データ生成部１４は、上述の表示データ６０を生成し、制御部４に出力し、制御部４は、その表示データ６０を受け取る（ステップＳ１）。このとき、ユーザにより番組要求が行なわれていない場合（ステップＳ２−ＮＯ）、制御部４のサイズ認識部５は表示データ６０を無視し、映像合成部６は、その表示データ６０を表示制御部７に通知する。表示制御部７は、その表示データ６０を表示装置２に表示する（ステップＳ６）。
例えば、表示データ６０を示す表示画面は、背景領域６１、第１表示領域６２、第２表示領域６３、第３表示領域６４を含んでいる。背景領域６１には、単色背景表示データを表す背景表示画面が表示される。第１表示領域６２には、アイコンを表す第１表示画面が表示される。第２表示領域６３には、文書作成用ソフトウェア１５の表示データを表す第２表示画面が表示される。第３表示領域６４には、表計算用ソフトウェア１５の表示データを表す第３表示画面が表示される。例えば、第１表示画面は、背景表示画面の一部に重ねられて表示される。第２表示画面は、第１表示画面、背景表示画面の一部に重ねられて表示される。第３表示画面は、第２表示画面、第１表示画面、背景表示画面の一部に重ねられて表示される。
【００２７】
一方、ユーザが入力装置３を用いて、テレビ用の番組データを要求するための番組要求（映像要求イベント）を行なう（ステップＳ２−ＹＥＳ）。このとき、映像データ生成部２４は、その番組要求に応じて、上述の映像データ７０を生成して制御部４に出力し、制御部４は、その映像データ７０を受け取る（ステップＳ３）。
制御部４のサイズ認識部５は、表示データ６０と映像データ７０とを受け取ったとき、表示データ６０、映像データ７０を示す画面に用いられる解像度、垂直同期周波数、サイズを認識し、映像合成部６に通知する（ステップＳ４）。例えば、表示データ６０を示す画面のサイズは、横の長さ、縦の長さがそれぞれＸ、Ｙ（ｍｍ、あるいは画素、以下の説明ではｍｍで統一する）であり、映像データ７０を示す画面のサイズは、横の長さ、縦の長さがそれぞれＸ、Ｙより小さいＡ、Ｂ（ｍｍ）であるものとする。表示データ６０、映像データ７０を示す画面に用いられる解像度は、それぞれ１０２４×７６８、３４０×２４０であるものとする。表示データ６０、映像データ７０を示す画面に用いられる垂直同期周波数は、それぞれ６０、５９．９４（Ｈｚ）であるものとする。
制御部４の映像合成部６は、表示データ６０と映像データ７０とを受け取ったとき、映像合成処理を行なう（ステップＳ５）。
【００２８】
映像合成処理では、映像合成部６は、映像データ７０を示す画面に用いられる解像度３４０×２４０を、表示データ６０を示す画面に用いられる解像度１０２４×７６８に変更する（ステップＳ１１）。また、映像合成部６は、表示装置２に使用する垂直同期周波数を、映像データ７０を示す画面に用いられる垂直同期周波数５９．９４（Ｈｚ）と、表示データ６０を示す画面に用いられる垂直同期周波数６０（Ｈｚ）との一方の垂直同期周波数に設定する。例えば、映像データ７０を示す画面に用いられる垂直同期周波数５９．９４（Ｈｚ）に設定する（ステップＳ１２）。
【００２９】
映像合成部６は、表示データ６０を示す画面に用いられる色と、単色を表す設定色とを比較する。例えば、コンピュータが起動したときに、あるいは番組要求が行なわれたときに、ＰＣ用制御装置１０のＣＰＵ１１は、壁紙格納部１６に格納されている単色背景表示データが表す単色を設定色として認識し、その設定色を表す情報を制御部４に送り、制御部４は、内蔵されたメモリ（図示しない）に、上記の設定色を表す情報を格納しておく。また、単色は、複数｛Ｒ（赤）、Ｇ（緑）、Ｂ（青）｝の構成色を用いて表現される場合もある。これにより、制御部４の映像合成部６は、表示データ６０を示す画面に用いられる色と、メモリに格納された情報が表す設定色とを比較する。比較の結果、表示データ６０の設定色に一致する領域を背景領域６１として認識する。即ち、表示データ６０の表示領域のうちの、単色背景表示データと一致する領域を背景領域６１として認識する（ステップＳ１３）。
映像合成部６は、映像データ７０を示す画面のサイズＡ×Ｂ（ｍｍ２）を、表示データ６０を示す画面のサイズＸ×Ｙ（ｍｍ２）に変更し、表示データ６０の背景領域６１として映像データ７０を用いる合成映像表示データ８０を生成する（ステップＳ１４）。即ち、映像データ７０のうちの、背景領域６１の位置に対応する映像データ７０を表す対応映像データを決定し、背景領域６１として対応映像データを用いて表示させる合成映像表示データ８０を生成する。この合成映像表示データ８０は、背景領域６１に映像データ７０（対応映像データ）を重ね合わせたときの表示データである。
ステップＳ１３、Ｓ１４について、具体例を用いて説明する。例えば、表示データ６０の領域（ｘ１、ｙ１）の位置の画像の色と設定色とを比較し、設定色に一致した背景領域６１であれば、表示データ６０の位置（ｘ１、ｙ１）の画像は用いずに同じ位置（ｘ１、ｙ１）の映像データ７０の映像を用いて合成映像表示データ８０を生成する。一致していなければ、その領域は表示データ６０の画像を用いる。そして、表示データ６０の次の領域（ｘ２、ｙ１）の画像を検証していく。
【００３０】
表示制御部７は、その合成映像表示データ８０を表示装置２に表示する（ステップＳ６）。
【００３１】
表示データ６０の背景領域６１以外の領域は、ユーザが作業を行なうための作業領域である。即ち、ユーザは、背景領域６１では作業しない。上述のように、本発明の第１実施形態によるコンピュータでは、この背景領域６１に映像データ７０を重ね合わせて表示する。このように、ユーザの作業を妨げることなく、コンピュータ用の表示データ６０とテレビ用の映像データ７０とを表示することができる。これにより、ユーザは、背景領域６１で映像データ７０を楽しみながら、作業領域で作業を行なうことができる。
また、本発明の第１実施形態によるコンピュータでは、表示データ６０の背景領域６１に用いられる色を単色にしているので、映像データ７０を重ね合わせるときに、単色を表す設定色と一致する領域を背景領域６１として認識することができる。
また、本発明の第１実施形態によるコンピュータでは、映像データ７０を示す画面に用いられる解像度を、表示データ６０を示す画面に用いられる解像度に合わせているので、違和感なくコンピュータ用の表示データ６０とテレビ用の映像データ７０とを表示することができる。
また、本発明の第１実施形態によるコンピュータでは、表示装置２に使用する垂直同期周波数を、映像データ７０を示す画面に用いられる垂直同期周波数と、表示データ６０を示す画面に用いられる垂直同期周波数との一方の垂直同期周波数に合わせているので、コンピュータ用の表示データ６０とテレビ用の映像データ７０とを同時に表示するときにズレが生じない。
【００３２】
（第２実施形態）
本発明の第２実施形態によるコンピュータについて説明する。第２実施形態では、第１実施形態と異なる点のみ説明する。第２実施形態では、番組要求（映像要求イベント）発生時に現在設定されている壁紙を単色の壁紙（上記の単色背景表示データ）に代えてもよい。この場合、壁紙格納部１６には、背景表示データと、単色を表す単色背景表示データとが格納されている。背景表示データは、ユーザにより設定され、デスクトップの壁紙として用いられる。番組要求（映像要求イベント）が行なわれたときに、ＣＰＵ１１が表示データ６０の背景領域６１に表示されるデータ（壁紙）を背景表示データから単色背景表示データに変更する。
【００３３】
次に、図８、図９を参照して、本発明の第２実施形態によるコンピュータの動作として映像表示方法について説明する。
表示データ生成部１４は、上述の表示データ６０を生成し、制御部４に出力し、制御部４は、その表示データ６０を受け取る（ステップＳ１）。このとき、ユーザにより番組要求が行なわれていない場合（ステップＳ２−ＮＯ）、表示制御部７は、その表示データ６０を表示装置２に表示する（ステップＳ６）。
例えば、表示データ６０の背景領域６１には、背景表示データを表す背景表示画面が表示される。
【００３４】
一方、ユーザが入力装置３を用いて、番組要求を行なう（ステップＳ２−ＹＥＳ）。このとき、表示データ生成部１４は、映像要求イベントに応じて、表示データ６０の背景領域６１に用いられる色を単色に変更する。即ち、表示データ生成部１４は、壁紙格納部１６から単色背景表示データを読み出し、表示データ６０の背景領域６１に表示されるデータを背景表示データから単色背景表示データに変更する（ステップＳ２１）。
同時に、映像データ生成部２４は、その番組要求に応じて、上述の映像データ７０を生成して制御部４に出力し、制御部４は、その映像データ７０を受け取る（ステップＳ３）。その後、上述のステップＳ４〜Ｓ６が制御部４により実行される。
【００３５】
表示データ６０の背景領域６１に単色背景表示データが常に表示されている場合、デスクトップの壁紙として用いるには殺風景である。上述のように、本発明の第２実施形態によるコンピュータでは、ユーザが番組要求を行なったときに、表示データ６０の背景領域６１に表示されるデータを背景表示データから単色背景表示データに変更する。これにより、ユーザにより番組要求が行なわれるまで、ユーザの好みの背景表示データを背景領域６１に表示することができる。
【００３６】
（第３実施形態）
本発明の第３実施形態によるコンピュータについて説明する。第３実施形態では、第１及び第２実施形態と異なる点のみ説明する。第３実施形態では、入力装置３は、ユーザ指定領域操作部（図示しない）と、映像形態指定操作部（図示しない）とを含んでいる。ユーザ指定領域操作部は、例えばポインティングデバイスであり、表示データ６０の背景領域６１の一部の領域をユーザが指定するために用いられる。映像形態指定操作部は、例えばスイッチであり、上記一部の領域に映像データ７０を縮小して表示するための縮小映像指示、又は、上記一部の領域に映像データ７０の一部分を表示する部分映像指示をユーザが指定するために用いられる。
【００３７】
次に、図１０〜図１３を参照して、本発明の第３実施形態によるコンピュータの動作として映像表示方法について説明する。
上述のように、ステップＳ１、Ｓ２−ＹＥＳ、Ｓ２１、Ｓ３、Ｓ４が実行された場合、映像合成処理が実行され（ステップＳ５）、ステップＳ６が実行される。
【００３８】
映像合成処理（ステップＳ５）では、映像合成部６は、上述のステップＳ１１〜Ｓ１３を実行する。ユーザは、番組要求を行なった後、ユーザ指定領域操作部を操作して、表示データ６０の背景領域６１のうちの、一部の領域を表すユーザ指定領域６６を指定するユーザ指定領域指示を出力する（ステップＳ３１−ＹＥＳ）。この場合、映像合成部６は、ユーザ指定合成制御処理を行なう（ステップＳ３２）。
【００３９】
ユーザ指定合成制御処理において、映像形態指定操作部は、ユーザの操作により、縮小映像指示を出力している（ステップＳ３３−ＹＥＳ）。この場合、図１０に示されるように、映像合成部６は、ユーザ指定領域指示と縮小映像指示に応じて、映像データ７０を表す画面のサイズＡ×Ｂを、ユーザ指定領域６６を表す画面のサイズＡ１×Ｂ１に変更して縮小映像データ７１を生成する。映像合成部６は、ユーザ指定領域６６として縮小映像データ７１を用いる合成映像表示データ８０を生成する（ステップＳ３４）。この合成映像表示データ８０は、ユーザ指定領域６６に縮小映像データ７１を重ね合わせたときの表示データである。
ここで、上記のステップＳ３１−ＹＥＳが実行されたときに、ユーザ指定領域６６に関する情報（表示データ６０に対する位置情報やサイズ情報）は、制御部４に内蔵されたメモリ（図示しない）に一時保存され、上記のステップＳ３３−ＹＥＳが実行されたときに、映像合成部６は、メモリからユーザ指定領域６６に関する情報を読み出して、上記のステップＳ３４を実行してもよい。
【００４０】
一方、映像形態指定操作部は、ユーザの操作により、部分映像指示を出力している（ステップＳ３３−ＮＯ）。この場合、図１１に示されるように、映像合成部６は、ユーザ指定領域指示と部分映像指示に応じて、ユーザ指定領域６６として映像データ７０を用いる合成映像表示データ８０を生成する。即ち、ユーザ指定領域指示と部分映像指示に応じて、映像データ７０のうちの、ユーザ指定領域６６の位置に対応する映像データ７０を表す部分映像データ７２を決定し、ユーザ指定領域６６として部分映像データ７２を用いる合成映像表示データ８０を生成する（ステップＳ３５）。この合成映像表示データ８０は、ユーザ指定領域６６に部分映像データ７２を重ね合わせたときの表示データである。
ここで、上記のステップＳ３１−ＹＥＳが実行されたときに、ユーザ指定領域６６に関する情報（表示データ６０に対する位置情報やサイズ情報）は、制御部４に内蔵されたメモリ（図示しない）に一時保存され、上記のステップＳ３３−ＮＯが実行されたときに、映像合成部６は、メモリからユーザ指定領域６６に関する情報を読み出して、上記のステップＳ３５を実行してもよい。
【００４１】
ユーザが番組要求を行なった後、ユーザ指定領域操作部を操作しない場合（ステップＳ３１−ＮＯ）、映像合成部６は、上述のステップＳ１４を実行する。即ち、映像データ７０のうちの、背景領域６１に対応する映像データを表す対応映像データを決定し、その対応映像データを背景領域６１に重ね合わせて合成映像表示データ８０を生成する。
【００４２】
背景領域６１に映像データ７０を重ね合わせて表示する場合、映像データ７０の一部が作業領域（背景領域６１以外の領域）に隠れて見えない部分がある。上述のように、本発明の第３実施形態によるコンピュータでは、表示データ６０の背景領域６１の一部の領域であるユーザ指定領域６６をユーザが指定することにより、ユーザ指定領域６６に映像データ７０を重ね合わせて表示することができる。
例えば、ユーザが縮小映像指示を行なっている場合、ユーザ指定領域６６内で縮小映像データ７１（縮小された映像データ７０）を視聴することができる。これにより、ユーザは、背景領域６１で縮小映像データ７１を楽しみながら、作業領域で作業を行なうことができる。
また、映像データ７０がスポーツ中継を表していて、映像データ７０の一部がスコアを表している場合がある。この場合、ユーザが部分映像指示を行なうことにより、ユーザ指定領域６６内で部分映像データ７２（スコアが表示された映像データ７０）を視聴することができる。
【００４３】
（第４実施形態）
本発明の第４実施形態によるコンピュータについて説明する。第４実施形態では、第１〜第３実施形態と異なる点のみ説明する。第４実施形態では、入力装置３は、更に、自動指定領域操作部（図示しない）と、映像形態指定操作部（図示しない）とを含んでいる。自動指定領域操作部は、例えばスイッチであり、表示データ６０の背景領域６１の一部の領域を自動的に決定するために用いられる。映像形態指定操作部は、例えばスイッチであり、上記一部の領域に映像データ７０を縮小して表示するための縮小映像指示、又は、上記一部の領域に映像データ７０の一部分を表示する部分映像指示をユーザが指定するために用いられる。
【００４４】
次に、図１４〜図１７を参照して、本発明の第４実施形態によるコンピュータの動作として映像表示方法について説明する。
上述のように、ステップＳ１、Ｓ２−ＹＥＳ、Ｓ２１、Ｓ３、Ｓ４が実行された場合、映像合成処理が実行され（ステップＳ５）、ステップＳ６が実行される。
【００４５】
映像合成処理（ステップＳ５）では、映像合成部６は、上述のステップＳ１１〜Ｓ１３を実行する。ユーザは、番組要求を行なった後、自動指定領域操作部を操作して、表示データ６０の背景領域６１のうちの、一部の領域を自動的に指定する自動指定領域指示を出力する（ステップＳ４１−ＹＥＳ）。この場合、映像合成部６は、自動指定合成制御処理を行なう（ステップＳ４２）。
【００４６】
自動指定合成制御処理において、映像合成部６は、自動指定領域指示に応じて、背景領域６１の中から、表示データ６０を表す画面のサイズＸ×Ｙに比例する複数の候補背景領域６７を決定する。複数の候補背景領域６７を第１〜第４候補背景領域６７とする。第１候補背景領域６７を示す画面のサイズは、横の長さ、縦の長さがそれぞれＸ、Ｙより小さいＡ２、Ｂ２（ｍｍ）であるものとする。第２候補背景領域６７を示す画面のサイズは、横の長さ、縦の長さがそれぞれＸ、Ｙより小さいＡ３、Ｂ３（ｍｍ）であるものとする。第３候補背景領域６７を示す画面のサイズは、横の長さ、縦の長さがそれぞれＸ、Ｙより小さいＡ４、Ｂ４（ｍｍ）であるものとする。第４候補背景領域６７を示す画面のサイズは、横の長さ、縦の長さがそれぞれＸ、Ｙより小さいＡ５、Ｂ５（ｍｍ）であるものとする。第１〜第４候補背景領域６７のうちの、そのサイズの面積が最大である候補背景領域６７は、第１候補背景領域６７（Ａ２×Ｂ２）であるものとする。映像合成部６は、第１候補背景領域６７（Ａ２×Ｂ２）を自動指定領域６８として決定する。
映像形態指定操作部は、ユーザの操作により、縮小映像指示を出力している（ステップＳ４３−ＹＥＳ）。この場合、図１４に示されるように、映像合成部６は、自動指定領域指示と縮小映像指示に応じて、映像データ７０を表す画面のサイズＡ×Ｂを、自動指定領域６８を表す画面のサイズＡ２×Ｂ２に変更して縮小映像データ７１を生成する。映像合成部６は、自動指定領域６８として縮小映像データ７１を用いる合成映像表示データ８０を生成する（ステップＳ４４）。この合成映像表示データ８０は、自動指定領域６８に縮小映像データ７１を重ね合わせたときの表示データである。
ここで、上記のステップＳ４２により自動指定領域６８が決定されたとき、自動指定領域６８に関する情報（表示データ６０に対する位置情報やサイズ情報）は、制御部４に内蔵されたメモリ（図示しない）に一時保存され、上記のステップＳ４３−ＹＥＳが実行されたときに、映像合成部６は、メモリから自動指定領域６８に関する情報を読み出して、上記のステップＳ４４を実行してもよい。
【００４７】
一方、映像形態指定操作部は、ユーザの操作により、部分映像指示を出力している（ステップＳ４３−ＮＯ）。この場合、図１５に示されるように、映像合成部６は、自動指定領域指示と部分映像指示に応じて、自動指定領域６８として映像データ７０を用いる合成映像表示データ８０を生成する。即ち、自動指定領域指示と部分映像指示に応じて、映像データ７０のうちの、自動指定領域６８に対応する映像データ７０を表す部分映像データ７２を決定し、自動指定領域６８として部分映像データ７２を用いる合成映像表示データ８０を生成する（ステップＳ４５）。この合成映像表示データ８０は、自動指定領域６８に部分映像データ７２を重ね合わせたときの表示データである。
ここで、上記のステップＳ４２により自動指定領域６８が決定されたとき、自動指定領域６８に関する情報（表示データ６０に対する位置情報やサイズ情報）は、制御部４に内蔵されたメモリ（図示しない）に一時保存され、上記のステップＳ４３−ＮＯが実行されたときに、映像合成部６は、メモリから自動指定領域６８に関する情報を読み出して、上記のステップＳ４５を実行してもよい。
【００４８】
ユーザが番組要求を行なった後、ユーザ指定領域操作部を操作しない場合（ステップＳ４１−ＮＯ）、映像合成部６は、上述のステップＳ１４を実行する。即ち、映像データ７０のうちの、背景領域６１に対応する映像データ７０を表す対応映像データを決定し、背景領域６１として対応映像データを用いる合成映像表示データ８０を生成する。この合成映像表示データ８０は、背景領域６１に映像データ７０（対応映像データ）を重ね合わせたときの表示データである。
【００４９】
本発明の第４実施形態によるコンピュータでは、表示データ６０の背景領域６１の一部の領域である自動指定領域６８を自動的に指定することにより、自動指定領域６８に映像データ７０を重ね合わせて表示することができる。自動指定領域６８を示す画面のサイズＡ２×Ｂ２は、表示データ６０を表す画面のサイズＸ×Ｙに比例しているので、自動指定領域６８を示す画面の見栄えがよい。
例えば、ユーザが縮小映像指示を行なっている場合、自動指定領域６８内で縮小映像データ７１（縮小された映像データ７０）を視聴することができる。これにより、ユーザは、背景領域６１で縮小映像データ７１を楽しみながら、作業領域で作業を行なうことができる。
【００５０】
（第５実施形態）
本発明の第５実施形態によるコンピュータについて説明する。第５実施形態では、第１〜第４実施形態と異なる点のみ説明する。第４実施形態では、入力装置３は、更に、上記のユーザ指定領域操作部（図示しない）と、上記の自動指定領域操作部（図示しない）と、上記の映像形態指定操作部（図示しない）とを含んでいる。ユーザは、自動指定領域操作部により、表示データ６０の背景領域６１の一部の領域を自動的に指定してもよいし、ユーザ指定領域操作部により、表示データ６０の背景領域６１の一部の領域をユーザが指定してもよい。
【００５１】
次に、図１８を参照して、本発明の第５実施形態によるコンピュータの動作として映像表示方法について説明する。
上述のように、ステップＳ１、Ｓ２−ＹＥＳ、Ｓ２１、Ｓ３、Ｓ４が実行された場合、映像合成処理が実行され（ステップＳ５）、ステップＳ６が実行される。
【００５２】
映像合成処理（ステップＳ５）では、映像合成部６は、上述のステップＳ１１〜Ｓ１３を実行する。ユーザは、番組要求を行なった後、自動指定領域操作部を操作して、上記の自動指定領域指示を出力する（ステップＳ５１−ＹＥＳ）。この場合、映像合成部６は、上述の自動指定合成制御処理を行なう（ステップＳ４２）。
【００５３】
一方、ユーザは、番組要求を行なった後、ユーザ指定領域操作部を操作して、上記のユーザ指定領域指示を出力する（ステップＳ５１−ＮＯ、Ｓ５２−ＹＥＳ）。この場合、映像合成部６は、上述のユーザ指定合成制御処理を行なう（ステップＳ３２）。
【００５４】
ユーザが番組要求を行なった後、自動指定領域操作部、ユーザ指定領域操作部を操作しない場合（ステップＳ５１−ＮＯ、Ｓ５２−ＮＯ）、映像合成部６は、上述のステップＳ１４を実行する。
【００５５】
本発明の第５実施形態によるコンピュータでは、上記のユーザ指定領域６６と自動指定領域６８との一方の領域をユーザが選択することにより、その一方の領域に映像データ７０を重ね合わせて表示することができる。
【００５６】
（第６実施形態）
本発明の第６実施形態によるコンピュータについて説明する。第６実施形態では、第１〜第５実施形態と異なる点のみ説明する。第６実施形態では、入力装置３は、更に、垂直同期周波数指定操作部を含んでいる。垂直同期周波数指定操作部は、例えばスイッチであり、映像データ７０を示す画面に用いられる垂直同期周波数と、表示データ６０を示す画面に用いられる垂直同期周波数との一方の垂直同期周波数をユーザが指定するために用いられる。
【００５７】
次に、図１９、図２０を参照して、本発明の第６実施形態によるコンピュータの動作として映像表示方法について説明する。
上述のように、ステップＳ１、Ｓ２−ＹＥＳ、Ｓ２１、Ｓ３、Ｓ４が実行された場合、映像合成処理が実行され（ステップＳ５）、ステップＳ６が実行される。
【００５８】
映像合成処理（ステップＳ５）では、映像合成部６は、上述のステップＳ１１を実行する。ユーザは、垂直同期周波数指定操作部を操作して、一方の垂直同期周波数として、表示データ６０を示す画面に用いられる垂直同期周波数６０（Ｈｚ）を指定する垂直同期周波数指定指示を出力する（ステップＳ６１−ＹＥＳ）。この場合、映像合成部６は、表示装置２に使用する垂直同期周波数を、表示データ６０を示す画面に用いられる垂直同期周波数６０（Ｈｚ）に設定する（ステップＳ６２）。
一方、ユーザは、垂直同期周波数指定操作部を操作して、一方の垂直同期周波数として、映像データ７０を示す画面に用いられる垂直同期周波数５９．９４（Ｈｚ）を指定する垂直同期周波数指定指示を出力する（ステップＳ６１−ＮＯ）。この場合、映像合成部６は、表示装置２に使用する垂直同期周波数を、映像データ７０を示す画面に用いられる垂直同期周波数５９．９４（Ｈｚ）に設定する（ステップＳ６３）。
その後、映像合成部６は、上述のステップＳ１３以降を実行する。
【００５９】
本発明の第６実施形態によるコンピュータでは、表示装置２に使用する垂直同期周波数をユーザの好みにより選択することで、合成映像表示データ８０の垂直同期周波数を、表示データ６０と映像データ７０の異なる垂直同期周波数のどちらに一致させるかを選択することができる。
【００６０】
なお、本発明のコンピュータでは、受信機２５は、テレビ用の番組データを受信するが、これに限定されない。番組データは、ＤＶＤ再生等のビデオ入力用の番組データでもよい。また、受信機２５は、ネットワーク経由で配信される番組データを受信する受信部を更に具備してもよい。
また、映像形態指定操作部、自動指定領域操作部、映像形態指定操作部、垂直同期周波数指定操作部は、入力装置３に設けられているが、本体部１に設けられていてもよい。
また、本実施形態では、表示データ６０に用いられる色と比較するために、比較用の背景表示データ（単色背景表示データ）が表す色を単色としたが、これに限定されない。上記の第１〜第３表示領域と区別できれば、複数色でもよく、近似的な色を含めた色の範囲でもよい。例えば、赤１色の壁紙でも比較できる上に、赤と黄の壁紙でも比較でき、赤１色だけでなく明るい赤や多少黄色がかった赤などの類似色やグラデーションの壁紙でも比較できる。また、設定色との比較は領域毎に行なったが、画素単位や複数画素がまとまったブロック毎に比較してもよい。また、背景領域６１は壁紙（デスクトップと呼ばれる場合もある）の表示されている部分だけでなく、第２表示領域６３や第３表示領域６４のウィンドウ内の使用されていない枠や一部分等でもよい。
【図面の簡単な説明】
【００６１】
【図１】図１は、ＰｉｎＰ表示方式を説明するための図である。
【図２】図２は、ＰｏｕｔＰ表示方式を説明するための図である。
【図３】図３は、本発明のコンピュータの構成を示すブロック図である。（第１実施形態）
【図４】図４は、本発明のコンピュータの制御部４の機能ロジックを示している。（第１実施形態）
【図５】図５は、本発明のコンピュータの動作を説明するための図である。（第１実施形態）
【図６】図６は、本発明のコンピュータの動作を示すフローチャートである。（第１実施形態）
【図７】図７は、本発明のコンピュータの動作を示すフローチャートである。（第１実施形態）
【図８】図８は、本発明のコンピュータの動作を説明するための図である。（第２実施形態）
【図９】図９は、本発明のコンピュータの動作を示すフローチャートである。（第２実施形態）
【図１０】図１０は、本発明のコンピュータの動作を説明するための図である。（第３実施形態）
【図１１】図１１は、本発明のコンピュータの動作を説明するための図である。（第３実施形態）
【図１２】図１２は、本発明のコンピュータの動作を示すフローチャートである。（第３実施形態）
【図１３】図１３は、本発明のコンピュータの動作を示すフローチャートである。（第３実施形態）
【図１４】図１４は、本発明のコンピュータの動作を説明するための図である。（第４実施形態）
【図１５】図１５は、本発明のコンピュータの動作を説明するための図である。（第４実施形態）
【図１６】図１６は、本発明のコンピュータの動作を示すフローチャートである。（第４実施形態）
【図１７】図１７は、本発明のコンピュータの動作を示すフローチャートである。（第４実施形態）
【図１８】図１８は、本発明のコンピュータの動作を示すフローチャートである。（第５実施形態）
【図１９】図１９は、本発明のコンピュータの動作を説明するための図である。（第６実施形態）
【図２０】図２０は、本発明のコンピュータの動作を示すフローチャートである。（第６実施形態）
【符号の説明】
【００６２】
１    本体部
２    表示装置
３    入力装置
４    制御部
５    認識部
６    映像合成部
７    表示制御部
１０    ＰＣ用制御装置
１１    ＣＰＵ
１２    メモリ
１３    ＰＣ用プログラム
１４    表示データ生成部
１５    ソフトウェア
１６    壁紙格納部
２０    ＴＶ用制御装置
２１    ＣＰＵ
２２    メモリ
２３    ＴＶ用プログラム
２４    映像データ生成部
２５    受信機
２６    チューナ
２７    デコーダ
６０    表示データ
６１    背景領域
６２    第１表示領域
６３    第２表示領域
６４    第３表示領域
６６    ユーザ指定領域
６７    候補背景領域
６８    自動指定領域
７０    映像データ
７１    縮小映像データ
７２    部分映像データ
８０    合成映像表示データ
【図１】
0004593406.tif 000002
【図２】
0004593406.tif 000003
【図３】
0004593406.tif 000004
【図４】
0004593406.tif 000005
【図５】
0004593406.tif 000006
【図６】
0004593406.tif 000007
【図７】
0004593406.tif 000008
【図８】
0004593406.tif 000009
【図９】
0004593406.tif 000010
【図１０】
0004593406.tif 000011
【図１１】
0004593406.tif 000012
【図１２】
0004593406.tif 000013
【図１３】
0004593406.tif 000014
【図１４】
0004593406.tif 000015
【図１５】
0004593406.tif 000016
【図１６】
0004593406.tif 000017
【図１７】
0004593406.tif 000018
【図１８】
0004593406.tif 000019
【図１９】
0004593406.tif 000020
【図２０】
0004593406.tif 000021